(57)【要約】      （修正有）【課題】ユニバーサル・シリアル・バス・インターフェースとＬＩＧＨＴＮＩＮＧインターフェースを共通に対応できる複合式接続ソケットを提供する。【解決手段】複合式接続ソケット１００に、金属シェル１１０、絶縁本体１２０、第一列導電端子１５０、第二列導電端子１６０が含まれている。金属シェルに収置空間１１２があり、絶縁本体は収置空間に収置されている。絶縁本体に第一側板１３０、第二側板１４０、ベース１２２があり、第一側板と第二側板が相対的に設置され、ベースから伸びて突出する。Ｍｉｃｒｏ  ＵＳＢプロトコルインターフェースに適用している第一列導電端子は第一側板に設置される。Ｌｉｇｈｔｎｉｎｇ仕様のインターフェースに適用している第二列導電端子は第二側板に設置される。それにより、複合式接続ソケットがＭｉｃｒｏ  ＵＳＢケーブルのプラグとＬｉｇｈｔｎｉｎｇケーブルのプラグと共用で接続することができるようになる。【選択図】図２
0003208616.tif 000002
【実用新案登録請求の範囲】
【請求項１】
複合式接続ソケットがあり、ユニバーサル・シリアル・バス・インターフェースかＬＩＧＨＴＮＩＮＧインターフェースに適用する中、収置空間を有する金属ハウジングがあり、その収置空間にしまる絶縁本体があり、絶縁本体には第一側板、第二側板、ベースが含まれ、第一側板と第二側板は相対的に設置され、ベースから伸びて突出するのと、第一側板に設置された第一列導電端子はＭｉｃｒｏ  ＵＳＢ通信インターフェースに対応するのと、第二側板に設置された第二列導電端子はＬＩＧＨＴＮＩＮＧ仕様インターフェースに対応することを特徴とする複合式接続ソケット。
【請求項２】
前述のＭｉｃｒｏ  ＵＳＢプロトコルインターフェースとＬＩＧＨＴＮＩＮＧインターフェースは収置空間に相対的に設置されることを特徴とする請求項１記載の複合式接続ソケット。
【請求項３】
前述の第一列導電端子には第一接触部、第一固定部、第一溶接部が含まれ、第一接触部は第一側板の側面に設置され、第一固定部はベースに固定され、第一溶接部は絶縁本体の外を突出することを特徴とする請求項１記載の複合式接続ソケット。
【請求項４】
前述の第一側板は複数の凹槽があり、各第一列導電端子の各第一接触部が複数の各凹槽に設置されることを特徴とする請求項３記載の複合式接続ソケット。
【請求項５】
前述の第一固定部は第一接触部と同じに平らになり第一側板の表面に取り付けられ、第一溶接部は第一固定部と垂直するようになることを特徴とする請求項３記載の複合式接続ソケット。
【請求項６】
前述の第二列導電端子には第二接触部、第二固定部、第二溶接部が含まれ、第二接触部を自由に第二側板の側面に設置することができ、第二固定部はベースに固定され、第二溶接部は絶縁本体の外を突出することを特徴とする請求項１記載の複合式接続ソケット。
【請求項７】
前述の第二側板は複数の凹槽があり、各第二導電端子の各第二接触部が移動可能に複数の凹槽に設置されることを特徴とする請求項６記載の複合式接続ソケット。
【請求項８】
前述の第二接触部が湾曲形状で第二側板に設置され、第二溶接部は第二固定部と並行することを特徴とする請求項６記載の複合式接続ソケット。
【請求項９】
前述の第一列導電端子は５本であることを特徴とする請求項１記載の複合式。
接続ソケット。
【請求項１０】
前述の第二列導電端子は８本であることを特徴とする請求項１記載の複合式接続ソケット。
【考案の詳細な説明】
【技術分野】
【０００１】本考案は、ユニバーサル・シリアル・バス・インターフェース（Ｍｉｃｒｏ  ＵＳＢ）かＬＩＧＨＴＮＩＮＧインターフェースに適用する複合式接続ソケットである。
【背景技術】
【０００２】近年、スマートフォン（スマートフォン）やタブレットなどの携帯用電子機器がパソナルーコンピューターの代わりに情報処理、オーフィル業務など処理することができるようになり、どんな時でもインターネットにつながり、もはや生活中に欠かせない商品の一つとなっている。
【考案の概要】
【考案が解決しようとする課題】
【０００３】ユーザーは、複数の異なるブランドの携帯用電子機器を所有する可能性があり、また各携帯電子装置はそれぞれ異なるＯＳ（オペレーティング・システム）、プラグイン口、データケーブルもあり、そのデータケーブルにより情報交換、充電したりする。例えば、企業のＡＰＰＬＥとＧＯＯＧＬＥで開発されたｉＯＳとＡｎｄｒｏｉｄのオペレーティングシステム、異なるプロトコル通信する２社のケーブルインも同様ではない。ＡＰＰＬＥはＬＩＧＨＴＮＩＮＧインターフェースを使用する一方、ユニバーサル・シリアル・バス・インターフェー（Ｍｉｃｒｏ  ＵＳＢ）を使用するかもしれないＧｏｏｇｌｅ。そのため、異なる携帯電子装置へ接続するよう、ユーザーが二つの異なるケーブルを持ち運ぶ必要があり、とても不都合である。またユーザーが誤ってインターフェイスと一致しないプラグを挿入した場合、携帯用電子機器のプラグイン接続の損傷が発生した状況につながる可能性がある。
既存携帯用電子機器のソケットへの共用性を解決することは本考案者の研究の目的です。
【課題を解決するための手段】
【０００４】ユニバーサル・シリアル・バス・インターフェースとＬＩＧＨＴＮＩＮＧインターフェースを共通に対応できる複合式接続ソケットを提供することは本考案の目的。【０００５】上記目的を達成するため、本考案は、ユニバーサル・シリアル・バス・インターフェースとＬＩＧＨＴＮＩＮＧインターフェースに対応できる複合式接続ソケットを提供する。その中に金属シェル、絶縁本体、第一列導電端子、第二列導電端子が含まれている。金属シェルに収置空間があり、絶縁本体は収置空間に収置される。絶縁本体に第一側板、第二側板とベースがあり、第一側板と第二側板は相対的に設置され、分けてベースから伸びて突出する。Ｍｉｃｒｏ  ＵＳＢプロトコル通信インターフェースに対応する第一列導電端子は第一側板に設置され、Ｌｉｇｈｔｎｉｎｇ通信インターフェースに対応する第二列導電端子は第二側板に設置される。
【考案の効果】
【０００６】本考案はまた、次のような効果がある：単一のソケットコネクタは、二つの異なる仕様のケーブルプラグと共有することができる。要するに、Ｍｉｃｒｏ  ＵＳＢプラグとＬｉｇｈｔｎｉｎｇプラグと共用可能。ユーザーはＭｉｃｒｏ  ＵＳＢケーブルのＭｉｃｒｏ  ＵＳＢプラグを使用するかＬｉｇｈｔｎｉｎｇケーブルのＬｉｇｈｔｎｉｎｇプラグを使用しても、複合式接続ソケットに適用することができ、それにより、携帯電子装置のプラグインへの誤挿入による損傷の確率が下がる。
【図面の簡単な説明】
【０００７】
【図１】本考案の複合式接続ソケットの立体形態図
【図２】本考案の複合式接続ソケットの透視図
【図３】本考案の複合式接続ソケットの平面図
【図４】本考案の複合式接続ソケットの断面図
【図５】本考案の複合式接続ソケットとユニバーサル・シリアル・バス・ケーブルと接続する時の立体図
【図６】図５の接続後の差し込み口の形態図
【図７】本考案の複合式接続ソケットとユニバーサル・シリアル・バス・ケーブルと接続する時の立体図
【図８】図７の接続後の差し込み口の形態図
【考案を実施するための形態】
【実施例】
【０００８】本考案で述べた内容及び実施形態は、図面と合わせて下記のように説明する。添付した図面は参考と説明のためで、本考案を限定するためではない。【０００９】図１から図８の通りで、本考案はユニバーサル・シリアル・バス・インターフェースのユニバーサル・シリアル・バス・ケーブル１０かＬｉｇｈｔｎｉｎｇインターフェースのＬｉｇｈｔｎｉｎｇケーブル３０に適用する複合式接続ソケット１００を提供する。ＬｉｇｈｔｎｉｎｇインターフェースはＡｐｐｌｅ社の開発したコネクタ仕様。このコネクタのピン足は８本、正面と反対面のどちらでも接続できる特徴をし、サイズはＭｉｃｒｏ  ＵＳＢと近い。Ｍｉｃｒｏ  ＵＳＢはピン足が５本で、高さはＭｉｎｉ−ＵＳＢプラグより減半し、ただし幅が同じ。Ｍｉｃｒｏ  ＵＳＢは携帯用電子機器と電源のインターフェース標準となっている。【００１０】図１及び図４に示すように、複合式接続ソケット１００に金属シェル１１０、絶縁本体１２０、第一列導電端子１５０、第二列導電端子１６０が含まれている。金属シェル１１０に収置空間１１２があり、絶縁本体１２０が収置空間１１２に収置される。絶縁本体１２０に第一側板１３０、第二側板１４０、ベース１２２があり、第一側板１３０と第二側板１４０が相対的に設置され、そして分けてベース１２２から伸びて突出し、その第一側板１３０が間隔的に収置空間１１２に収置され、第二側板１４０の側面が金属シェル１１０の内表面に固定されている。【００１１】第一列導電端子１５０は第一側板１３０に設置され、第一列導電端子１５０はＭｉｃｒｏ  ＵＳＢプロトコルインターフェースに準拠している。第二列導電端子１６０は第二側板１４０に設置され、第二列導電端子１６０はＬｉｇｈｔｎｉｎｇ仕様インターフェースに適用している。図２と図４の通り、Ｍｉｃｒｏ  ＵＳＢプロトコルインターフェースとＬｉｇｈｔｎｉｎｇ仕様のインターフェースが収置空間１１２に相対的に設置されている。【００１２】第一列導電端子１５０に第一接触部１５２、第一固定部１５４、第一溶接部１５６が含まれている。第一接触部１５２は第一側板１３０の側面に設置され、第一固定部１５４はベース１２２に設置され、第一溶接部１５６は絶縁本体１２０を突出している。第一側板１３０に複数凹槽１３２を形成し、各凹槽１３２を列導電端子１５０の各第一接触部１５２に設置させることができる。本実施例の第一固定部１５４は第一接触部１５２と平らになり第一側板１３０の表面に取り付けられ、第一溶接部１５６は第一固定部１５４と垂直するように配置されている。【００１３】第二列導電端子１６０に第二接触部１６２、第二固定部１６４、第二溶接部１６６が含まれている。第二接触部１６２を自由的に第二側板１４０の側面に設置することができ、第二固定部１６４はベース１２２に固定され、第二溶接部１６６は絶縁本体１２０を突出している。第二側板１４０に複数スロット１４２を形成し、各第二導電端子１６０の各第二接触部１６２が自由的に各スロット１４２に設置することができる。本実施例の第二接触部１６２が湾曲状で第二側板１４０に設置され、そして第二溶接１６６と第二固定部１６４が並行するようになる。【００１４】また図４、６、８のよ��に、各第一溶接部１５６はＳＭＴ（Ｓｕｒｆａｃｅ  ｍｏｕｎｔｉｎｇ  ｔｅｃｈｎｏｌｏｇｙ）技術により回路基板７０の上に実装半田付けする。各第二溶接部１６６はＤＩＰ（Ｄｕａｌ  Ｉｎ−ｌｉｎｅ  Ｐａｃｋａｇｅ）技術で回路基板７０の上には実装半田付けする。またほかの実施形態において、各第一溶接部１５６と各第二溶接部１６６は回路基板７０の上にＳＭＴ、ＤＩＰと同じまたはほかの適切な半田付け方法であってもよい。【００１５】図５から図８のように、複合式接続ソケット１００は携帯型電子機器装置５０に設置した時、ユーザーはＭｉｃｒｏ  ＵＳＢケーブル１０のＭｉｃｒｏ  ＵＳＢプラグ２０を使用するかＬｉｇｈｔｎｉｎｇケーブル３０のＬｉｇｈｔｎｉｎｇプラグ４０を使用しても本考案のソケット１００に適用し、このように携帯型電子機器５０のジャックの誤挿入による損傷確率を下げることができる。【００１６】図５、６のように、ユーザーはＭｉｃｒｏ  ＵＳＢケーブル１０のＭｉｃｒｏ  ＵＳＢケーブル１０のＭｉｃｒｏ  ＵＳＢプラグ２０でソケット１００と接続する時、Ｍｉｃｒｏ  ＵＳＢプラグ２０はソケット１００の上部に接続するようになる。Ｍｉｃｒｏ  ＵＳＢプラグ２０の各接点２２は各第一接点１５２と電気的に接触することにより、データー伝達と充電を行うようになる。【００１７】図７，８のように、ユーザーがＬｉｇｈｔｎｉｎｇケーブル３０のＬｉｇｈｔｎｉｎｇプラグ４０でソケット１００と接続する時、Ｌｉｇｈｔｎｉｎｇプラグ４０はソケット１００の下部に接続する。その時、Ｌｉｇｈｔｎｉｎｇプラグ４０は第一側板１３０と第二側板１４０の間に固定されるようになる。また、Ｌｉｇｈｔｎｉｎｇプラグ４０の各接点４２は第二接触部１６２と電気的に接続することにより、データー伝達と充電を行うようになる。従って、本考案の複合式接続ソケット１００は異なる２種類の仕様のケーブルプラグを共用することができ、要するに、Ｍｉｃｒｏ  ＵＳＢプラグ２０とＬｉｇｈｔｎｉｎｇプラグ４０を共用することができるから、ソケット１００の損傷率を下げることができる。【００１８】要約すると、本文は本考案の実施形態を説明したものとみなされるべき、本考案を限定するものではない。本考案の範囲は、定義されている実用新案登録請求の範囲に決められるべき、そしてそれと均等物をカバーするもの。上述の説明に限定されるものではない。
【符号の説明】
【００１９】１０              Ｍｉｃｒｏ  ＵＳＢケーブル
２０、４０        プラグ
２２、４２        接点
３０              Ｌｉｇｈｔｎｉｎｇケーブル
５０、６０        電子機器装置
７０              回路基板
１００            複合式接続ソケット
１１０            金属シェル
１１２            収置空間
１２０            絶縁本体
１２２            ベース
１３０            第一側板
１３２            凹槽
１４０            第二側板
１４２            スロット
１５０            第一列導電端子
１５２            第一接触部
１５４            第一固定部
１５６            第一溶接部
１６０            第二列導電端子
１６２            第二接触部
１６４            第二固定部
１６６            第二溶接部
【図１】
0003208616.tif 000003
【図２】
0003208616.tif 000004
【図３】
0003208616.tif 000005
【図４】
0003208616.tif 000006
【図５】
0003208616.tif 000007
【図６】
0003208616.tif 000008
【図７】
0003208616.tif 000009
【図８】
0003208616.tif 000010
【手続補正書】
【提出日】平成28年10月14日(2016.10.14)
【手続補正１】
【補正対象書類名】実用新案登録請求の範囲
【補正対象項目名】全文
【補正方法】変更
【補正の内容】
【実用新案登録請求の範囲】
【請求項１】
複合式接続ソケットがあり、ユニバーサル・シリアル・バス・インターフェースかＬＩＧＨＴＮＩＮＧインターフェースに適用し、収置空間を有する金属ハウジングがあり、その収置空間に収置する絶縁本体があり、絶縁本体には第一側板、第二側板、ベースが含まれ、第一側板と第二側板は相対的に設置され、ベースから伸びて突出するのと、第一側板に設置された第一列導電端子はＭｉｃｒｏ  ＵＳＢ通信インターフェースに対応するのと、第二側板に設置された第二列導電端子はＬＩＧＨＴＮＩＮＧ仕様インターフェースに対応することを特徴とする複合式接続ソケット。
【請求項２】
前述のＭｉｃｒｏ  ＵＳＢプロトコルインターフェースとＬＩＧＨＴＮＩＮＧインターフェースは収置空間に相対的に設置されることを特徴とする請求項１記載の複合式接続ソケット。
【請求項３】
前述の第一列導電端子には第一接触部、第一固定部、第一溶接部が含まれ、第一接触部は第一側板の側面に設置され、第一固定部はベースに固定され、第一溶接部は絶縁本体の外を突出することを特徴とする請求項１記載の複合式接続ソケット。
【請求項４】
前述の第一側板は複数の凹槽があり、各第一列導電端子の各第一接触部が複数の各凹槽に設置されることを特徴とする請求項３記載の複合式接続ソケット。
【請求項５】
前述の複合式接続ソケットに、第一固定部と第一接触部は平坦な形状になり、第一側板の表面に取り付けられ、第一溶接部と第一固定部は垂直になることを特徴とする請求項３記載の複合式接続ソケット。
【請求項６】
前述の第二列導電端子には第二接触部、第二固定部、第二溶接部が含まれ、第二接触部は第二側板の側面に設置することができ、第二固定部はベースに固定され、第二溶接部は絶縁本体の外を突出することを特徴とする請求項１記載の複合式接続ソケット。
【請求項７】
前述の第二側板は複数の凹槽があり、各第二導電端子の各第二接触部が移動可能に複数の凹槽に設置されることを特徴とする請求項６記載の複合式接続ソケット。
【請求項８】
前述の第二接触部が湾曲形状で第二側板に設置され、第二溶接部は第二固定部と並行することを特徴とする請求項６記載の複合式接続ソケット。
【請求項９】
前述の第一列導電端子は５本であることを特徴とする請求項１記載の複合式接続ソケット。
【請求項１０】
前述の第二列導電端子は８本であることを特徴とする請求項１記載の複合式接続ソケット。